(57)【要約】      （修正有）【課題】衣服及び皮膚に貼り付けることなく痛み治療及び緩和に用いる携帯用遠赤外線磁気痛み緩和治療器を提供する。【解決手段】圧縮粉末遠赤外線放射体を通過することによる磁力複合線の働きを利用した本体１は、人体に貼着又は装着させず、衣服に取り付けることもなく、衣服及び皮膚の上から衣服・皮膚当接面５を手で軽く撫でて摩（さす）るように、ゆっくり前後、左右、上下に満遍なく動かし、素早く手軽に治療し、皮膚のかぶれやかゆみを発症することもなく、指先まで痛み全体の緩和、解消ができる。【選択図】図２
2007190348.tif 000002
【特許請求の範囲】
【請求項１】
永久磁石の磁力線が、磁石全体を包囲している圧縮粉末遠赤外線放射体を通過する時、放射体が磁力線に刺激され、磁力複合線を発生することを特徴とする携帯用遠赤外線磁気痛み緩和治療器。
【請求項２】
圧縮粉末遠赤外線放射体を備えていることを特徴とする請求項１記載の携帯用遠赤外線磁気痛み緩和治療器。
【請求項３】
磁力複合線を放射し続けることを特徴とする請求項１記載の携帯用遠赤外線磁気痛み緩和治療器。
【請求項４】
磁力複合線発生部内は、圧縮粉末遠赤外線放射体の中に、防水加工した永久磁石を内臓、密閉していることを特徴とする請求項１記載の携帯用遠赤外線磁気痛み緩和治療器。
【請求項５】
磁力複合線発生部を納めるケ−スは、人体の皮膚及び衣服などに悪影響のない帯電しにくい木製を使用することを特徴とする請求項１記載の携帯用遠赤外線磁気痛み緩和治療器。
【請求項６】
磁力複合線発生部を納めるケ−スは、人体に貼着又は装着させず、衣服に取り付けず、衣服の上から手で握り軽く撫で摩（さす）るように、ゆっくり前後、左右、上下に満遍なく動かして使用することを特徴とする請求項１記載の携帯用遠赤外線磁気痛み緩和治療器。
【請求項７】
磁力複合線発生部を納めるケ−スは、軽量で、小型なため、手軽に携帯でき、手のひらに入る大きさであることを特徴とする請求項１記載の携帯用遠赤外線磁気痛み緩和治療器。
【請求項８】
磁力複合線発生部を納めるケ−スは、皮膚及び衣服に接触する面の最大表面磁束密度を３５ｍＴ以上２００ｍＴ以下の範囲にする永久磁石が組み込まれていることを特徴とする請求項１記載の携帯用遠赤外線磁気痛み緩和治療器。
【請求項９】
磁力複合線発生部を納めたケ−スを、体の脂肪部分に当てて使用すると、皮下脂肪が減少することを特徴とする請求項１記載の携帯用遠赤外線磁気痛み緩和治療器。
【発明の詳細な説明】
【技術分野】
【０００１】  この発明は、手軽に携帯でき、筋肉、関節、こりの痛みの緩和・解消に用いるため、遠赤外線と磁気を組み合わせた携帯用遠赤外線磁気痛み緩和治療器の形状、材質、機能及びその使用方法に関する。
【背景技術】
【０００２】  従来の遠赤外線磁気治療器等の治療及び緩和に用いる痛み緩和治療器の形状は、図４に示すように、遠赤外線磁気治療器の本体１を皮膚当接面２ａに直接絆創膏１６で貼着して固定するものである。遠赤外線磁気ネックレス及びブレスレット等は、人体に装着し、１箇所に固定して治療するものである。
【特許文献１】実登３０００１２２号公報
【特許文献２】実開平７−１１９１９号公報
【発明の開示】
【発明が解決しようとする課題】
【０００３】  しかしながら、以上の技術によれば、本体を人体に直接貼着又は装着するものであり、貼着又は装着した部分だけの効果しか得られず、また、衣服の脱ぎ着により患部毎に貼る手間もかかるため、痛み全体の素早い治療にならなかった。人体に直接貼着又は装着するため、皮膚にかぶれやかゆみを発症させることもあった。
そこで、この発明は、人体に貼着又は装着させず、衣服に取り付けることもなく、衣服及び皮膚の上から痛み全体に満遍なく手で動かして、素早く手軽に治療し、皮膚のかぶれやかゆみを発症することもなく、痛みの緩和・解消を提供することを課題とする。
【課題が解決するための手段】
【０００４】  以上の課題を解決するために、第一発明は、永久磁石の磁力線が、磁石全体を包囲している圧縮粉末遠赤外線放射体を通過する時、放射体が磁力線に刺激され、磁力複合線を発生することを特徴とする携帯用遠赤外線磁気痛み緩和治療器である。
また、第二発明は、圧縮粉末遠赤外線放射体を備えていることを特徴とする携帯用遠赤外線磁気痛み緩和治療器である。
第三発明は、磁力複合線を放射し続けることを特徴とする携帯用遠赤外線磁気痛み緩和治療器である。
第四発明は、磁力複合線発生部内は、圧縮粉末遠赤外線放射体の中に、防水加工した永久磁石を内臓、密閉していることを特徴とする携帯用遠赤外線磁気痛み緩和治療器である。
第五発明は、磁力複合線発生部を納めるケ−スは、人体の皮膚及び衣服などに悪影響のない帯電しにくい木製を使用することを特徴とする携帯用遠赤外線磁気痛み緩和治療器である。
第六発明は、磁力複合線発生部を納めるケ−スは、人体に貼着又は装着させず、衣服に取り付けず、衣服の上から手で握り軽く撫で摩（さす）るように、ゆっくり前後、左右、上下に満遍なく動かして使用することを特徴とする携帯用遠赤外線磁気痛み緩和治療器である。
第七発明は、磁力複合線発生部を納めるケ−スは、軽量で、小型なため、手軽に携帯でき、手のひらに入る大きさであることを特徴とする携帯用遠赤外線磁気痛み緩和治療器である。
第八発明は、磁力複合線発生部を納めるケ−スは、皮膚及び衣服に接触する面の最大表面磁束密度を３５ｍＴ以上２００ｍＴ以下の範囲にする永久磁石が組み込まれていることを特徴とする携帯用遠赤外線磁気痛み緩和治療器である。
第九発明は、磁力複合線発生部を納めたケ−スを、体の脂肪部分に当てて使用すると、皮下脂肪が減少することを特徴とする携帯用遠赤外線磁気痛み緩和治療器である。
【発明の効果】
【０００５】  第一発明によれば、内蔵した永久磁石の磁力線が、磁石全体を包囲している圧縮粉末遠赤外線放射体を通過する時、放射体が磁力線に刺激され、磁力複合線を発生する。磁力複合線は、衣服を透過し皮膚深部に浸透し、温度が低い血行の悪い患部の血行を促進・改善させ、筋肉疲労、筋肉痛、腰痛、肩こり、及び肩部、膝部、肘部、足首部、手首部の関節の痛み等を軽減し緩和させる効果がある。
または第二発明によれば、磁力複合線による痛みの緩和効果があるのは、圧縮粉末遠赤外線放射体を備えているためである。
第三発明によれば、磁力複合線を常に放射し続けるので、いつでも何処でも、痛み・こりの緩和用として使用することができる。
第四発明によれば、磁力複合線発生部内は、圧縮粉末遠赤外線放射体の中心部に、防水加工した永久磁石を内臓、密閉しているため、均一された磁力複合線の放射効果が得られる。
第五発明によれば、磁力複合線発生部を納めるケ−スは、人体の皮膚及び衣服などに悪影響のない帯電しにくい木製を使用しているので安全である。
第六発明によれば、磁力複合線発生部を納めるケ−スは、人体に貼着又は装着させず、衣服に取り付けず、衣服の上から手で握り軽く撫で摩（さす）るように、ゆっくり前後、左右、上下に満遍なく動かして使用し痛みを緩和する。足や手の指先の末端部にも簡単に満遍なく治療できる。
第七発明によれば、磁力複合線発生部を納めるケ−スは、軽量、小型で手軽に携帯でき、手のひらに入る大きさのため、時間と場所を選ばず、誰でも自由自在に簡単に扱えて便利である。
第八発明によれば、磁力複合線発生部を納めるケ−スは、皮膚及び衣服に接触する面の最大表面磁束密度を３５ｍＴ以上２００ｍＴ以下の範囲にする永久磁石が組み込まれているため、安心、安全である。
第九発明によれば、磁力複合線発生部を納めたケ−スを、体の脂肪部分に当てて使用すると、皮下脂肪が減少する効果がある。
【発明を実施するための最良の形態】
【０００６】  この発明の一実施形態を、図１に示す。
携帯用遠赤外線磁気痛み緩和治療器の本体１は木製４であり、この本体１上下面は、直接触れる衣服・皮膚当接面５である。この衣服・皮膚当接面５は、上部層と下部層に分かれ、接合部６を強力接着剤で完全密閉し、一体的に結合されている。本体１の中心部には、永久磁石２が内臓されている。
図１のＡ−Ａ断面を図２に、Ｂ−Ｂ断面を図３に示す。
本体１に内臓した永久磁石２の磁力線が、磁石全体を包囲している圧縮粉末遠赤外線放射体３を通過する時、放射体が磁力線に刺激され、磁力複合線を発生する。本体１表面の衣服・皮膚当接面５より常に放射されている磁力複合線は、衣服を透過し皮膚深部に浸透し、温度が低い血行の悪い患部の血行を促進・改善させ、筋肉疲労、筋肉痛、腰痛、肩こり、及び肩部、膝部、肘部、足首部、手首部の関節の痛み等を軽減し緩和させる効果がある。いつでも何処でも痛み・こりの緩和用として使用することができる。
また、本体１を人体に貼着又は装着させず、衣服に取り付けず、衣服及び皮膚の上から手で握り、痛みの患部（首から上部、心臓部を除く）を中心に、軽く撫で摩（さす）るように、ゆっくり前後、左右、上下に満遍なく衣服・皮膚当接面５を動かして使用する。脚部などは、２個使用し、左右で挟むようにすれば更に痛みが緩和される。
本体１は、人体の皮膚に悪影響のない帯電しにくい木製４を使用し、防水加工した永久磁石２と圧縮粉末遠赤外線放射体３を密閉する。本体１が患部に接触する衣服・皮膚当接面５の最大表面磁束密度を３５ｍＴ以上２００ｍＴ以下の範囲にする永久磁石が組み込まれているため安全である。
本体１は、誰でも何処でも手のひらに入る大きさと軽量の為、手軽に携帯でき、衣服の脱ぎ着もせずに、誰でも時間と場所を選ばず、自由自在に簡単に扱えて便利である。
本体１は、衣服及び皮膚の上から衣服・皮膚当接面５を手で握り、軽く撫で摩（さす）るように動かして体の脂肪部分に当てて使用すると皮下脂肪が減少する。
【実施形態の効果】
【０００７】  この実施形態によれば、磁力複合線が常に放射し続けるため、いつでも何処でも痛み・こりの緩和用として使用することができる。屋内外を問わず誰でも何処でも手軽に携帯でき、簡単に自由自在に痛い箇所に当てて動かし、痛み・こりの緩和・解消用として扱えるので便利である。
【図面の簡単な説明】
【０００８】
【図１】  この発明の一実施形態を示す斜視図である。
【図２】  図１のＡ−Ａ断面を示した斜視図である。
【図３】  図１のＢ−Ｂ断面を示した斜視図である。
【図４】  従来技術を示す断面図である。
【符号の説明】
【０００９】  図１、図２、図３に示した符号。
１  携帯用遠赤外線磁気痛み緩和治療器      ２  永久磁石
３  圧縮粉末遠赤外線放射体                ４  木製
５  衣服・皮膚当接面                      ６  接合部
図４に示した符号。
１    遠赤外線磁気治療器      ３  永久磁石        １１  メッキ層
２    遠赤外線放射体          ４  カバ−          １５  指圧突起
２ａ  皮膚当接面              ５  取付け凹部      １６  絆創膏
【図１】
2007190348.tif 000003
【図２】
2007190348.tif 000004
【図３】
2007190348.tif 000005
【図４】
2007190348.tif 000006